(57)【要約】【課題】主電源から引き出したサブ電源を設けることなく、通信ネットワークケーブルから省電力電源を取り出して作動できる電子機器、電子機器の省電力制御方法を提供する。【解決手段】信号線Ｃ１に給電線Ｃ２を含む通信ネットワークケーブルＣを接続する通信コネクタ１６と、この通信コネクタ１６を通じて給電線Ｃ２から供給された電源を降圧し、省電力モード制御回路部Ａの電源に変換出力するサブ電源回路部２０，２８と、商用電源を、通常モード制御回路部Ｂの作動に必要な電源に変換出力する主内部電源回路部２９と、通常モードから省電力モードへの切換イベントを判別したときには、主内部電源回路部２９の電源出力を遮断し、サブ電源回路部２０．２８の電源のみを出力させる一方、通常モードから省電力モードへの切換イベントを判別したときには、主内部電源回路部２９の電源出力を可能にする電源制御手段１０とを備えている。【選択図】図１
2007027866.tif 000002
【特許請求の範囲】
【請求項１】
内部回路を、省電力モード制御回路部と、通常モード制御回路部とに分離して、給電制御を行う省電力機能を備えた電子機器において、
信号線に給電線を含む通信ネットワークケーブルを接続する通信コネクタと、
この通信コネクタを通じて給電線から供給された電源を降圧し、省電力モード制御回路部の電源に変換出力するサブ電源回路部と、
商用電源を、通常モード制御回路部の作動に必要な電源に変換出力する主内部電源回路部と、
通常モードから省電力モードへの切換イベントを判別したときには、上記主内部電源回路部の電源出力を遮断し、上記サブ電源回路部の電源のみを出力させる一方、通常モードから省電力モードへの切換イベントを判別したときには、上記主内部電源回路部の電源出力を可能にする電源制御手段とを備えたことを特徴とする、省電力機能を備えた電子機器。
【請求項２】
請求項１において、
上記電源制御手段は、節電スイッチの操作を検出し、あるいは所定のジョブ終了後に、何らのイベントがなく一定時間が経過したときには、通常モードから省電力モードへの切換イベントとして処理することを特徴とする、省電力機能を備えた電子機器。
【請求項３】
信号線に給電線を含む通信ネットワークケーブルを接続する通信コネクタと、この通信コネクタを通じて給電線から供給された電源を降圧し、省電力電源として変換出力するサブ電源回路部と、商用電源を、電子機器の作動に必要な電源に変換出力する主内部電源回路部とを備え、省電力機能を備えた電子機器の省電力制御方法であって、
通常モードから省電力モードに移行されたときには、上記主内部電源回路部の電源出力を遮断して、上記サブ電源回路部の電源のみを出力させる一方、
省電力モードから通常モードに移行されたときには、上記主内部電源回路部から電源出力することを特徴とする、電子機器の省電力制御方法。
【発明の詳細な説明】
【技術分野】
【０００１】
本発明は、省電力機能を備えた電子機器、省電力制御方法に関する。
【背景技術】
【０００２】
省電力機能を備えた電子機器、例えば、ファクシミリ装置は、従来より、事務所や一般家庭などにおいて広く使用されている。
【０００３】
この種の電子機器は、内部回路を、ＣＰＵ、ＲＡＭ、ＲＯＭなどの省電力モード制御回路部と、プリンタ機構、原稿読み取り機構などの通常モード制御回路部とに分離し、それぞれの回路部への給電制御を行うようにしている。
【０００４】
通常モードにおいては、主電源による駆動電源が、省電力モード制御回路部、通常モード制御回路部の双方に給電されるが、省電力モードへの切換イベント、例えば、一定時間何ら操作がされないことがあると、主電源による通常モード制御回路部への給電が停止され、主電源から引き出されたサブ電源により、省電力モード制御回路部への給電が開始される。この状態を待機モードという。
【０００５】
一方、待機モードにおいて、通常モードへの切換イベント、例えば、何らかの操作がされたときには、サブ電源による給電を停止し、双方の制御回路部に対して、主電源による給電を再開する。
【特許文献１】特開２００３−６３１０１号公報
【発明の開示】
【発明が解決しようとする課題】
【０００６】
ところで、近時においては、パワーオーバーイーサネット（登録商標）規格に準じて、信号線に給電線を含む通信ネットワークケーブルが流通しており、このケーブルを介して省電力モード制御回路部への給電をさせれば、省電力モードにおけるサブ電源が必要なくなるため、コストの削減が実現でき、また、主電源からデジタル回路に必要な直流（ＤＣ）電圧を生成するよりも、より高い効率でＤＣ電圧を生成することができるため、待機時の消費電力をいっそう低減させることができる。
【０００７】
本発明は、このような事情を考慮して提案されるものであり、主電源から引き出したサブ電源を設けることなく、より高い効率で省電力機能を実行できる電子機器、電子機器の省電力制御方法を提供することを目的とする。
【課題を解決するための手段】
【０００８】
上記目的を達成するため、本発明の請求項１、２では、省電力機能を備えた電子機器に関し提案しており、請求項１では、信号線に給電線を含む通信ネットワークケーブルを接続する通信コネクタと、この通信コネクタを通じて給電線から供給された電源を降圧し、省電力モード制御回路部の電源に変換出力するサブ電源回路部と、商用電源を、通常モード制御回路部の作動に必要な電源に変換出力する主内部電源回路部と、通常モードから省電力モードへの切換イベントを判別したときには、主内部電源回路部の電源出力を遮断し、サブ電源回路部の電源のみを出力させる一方、通常モードから省電力モードへの切換イベントを判別したときには、主内部電源回路部の電源出力を可能にする電源制御手段とを備えたことを特徴とする。
【０００９】
請求項２では、電源制御手段は、節電スイッチの操作を検出し、あるいは所定のジョブ終了後に、何らのイベントがなく一定時間が経過したときには、通常モードから省電力モードへの切換イベントとして処理することを特徴とする。
【００１０】
請求項３は、電子機器の省電力制御方法を提案しており、信号線に給電線を含む通信ネットワークケーブルを接続する通信コネクタと、この通信コネクタを通じて給電線から供給された電源を降圧し、省電力電源として変換出力するサブ電源回路部と、商用電源を、電子機器の作動に必要な電源に変換出力する主内部電源回路部とを備え、省電力機能を備えた電子機器の省電力制御方法であって、通常モードから省電力モードに移行されたときには、主内部電源回路部の電源出力を遮断して、上記サブ電源回路部の電源のみを出力させる一方、省電力モードから通常モードに移行されたときには、主内部電源回路部から電源出力することを特徴とする。
【発明の効果】
【００１１】
本発明によれば、以下の効果を奏する。
【００１２】
請求項１によれば、主内部電源回路部の電源出力を遮断し、省電力モードの駆動電源として、通信コネクタを通じて給電線から供給された電源を省電力モード制御回路部へ出力するため、省電力モード時の省電力モード制御回路部の駆動電源を供給するサブ電源を主内部電源回路部から引き出す必要がなく、簡易な構成で低コストかつ、高い効率で、省電力機能を実行できる。
【００１３】
請求項２によれば、通常モードにおいて、一定期間なんらのイベントがない場合には、省電力モードへの切換イベントを判別するので、省電力モードを有効に実行できる。
【００１４】
請求項３によれば、主内部電源回路部の電源出力を遮断し、省電力モードの駆動電源として、通信コネクタを通じて給電線から供給された電源を省電力モード制御回路部へ出力するため、請求項１と同様の効果を発揮できる。
【発明を実施するための最良の形態】
【００１５】
以下に、本発明の実施の形態について説明する。
【実施例１】
【００１６】
図１は、本発明の電子機器の要部構成の一例を示すブロック図である。図２は、電子機器の使用形態の一例を示す図である。
【００１７】
この電子機器は、ここでは、ネットワークファクシミリ装置が適用されているが、この例には限られず、信号線に給電線を含む通信ネットワークケーブルを接続でき、内部回路を省電力モード制御回路部と通常モード制御回路部とに分離して給電制御を行うものであればよい。
【００１８】
この電子機器１は、図２に示すように、ＬＡＮなどの通信ネットワーク上に存在するエンドスパンデバイス５より、パワーオーバーイーサネット（登録商標）規格に準じた通信ネットワークケーブルＣを導出させて、クライアント４とともに接続されて使用される。
【００１９】
この電子機器１は、図１に示すように、内部回路を省電力モード制御回路部Ａと、通常モード制御回路部Ｂとに分離しており、それぞれ、バス２，３を有している。
【００２０】
省電力モード制御回路部Ａでは、バス２上に、この電子機器全体を制御するシステムコントローラ１０、画像メモリ１１、ＭＰＵ１２、電話回線Ｌの接続制御をなすＮＣＵ１３、モデム１４、通信ネットワークケーブルＣを接続するための通信コネクタ１６を有するＬＡＮインタフェース１５、フラッシュメモリ１７、ＳＲＡＭ１８、節電スイッチ１９Ａを有する操作パネル１９を接続して構成している。
【００２１】
通信ネットワークケーブルＣは、信号線Ｃ１と給電線Ｃ２とを含んでいる。信号線Ｃ１は通信コネクタ１６を通じてＬＡＮインタフェース１５に入力され、給電線Ｃ２は通信コネクタ１６を通じてＤＣ／ＤＣコンバータ２８に入力されている。
【００２２】
一方の通常モード制御回路部Ｂでは、バス３上に、ＣＣＤを有する読取画像処理回路２２、読取用コーデック２３、プリント用コーデック２４、ＬＥＤヘッド２６を含むプリント画像処理回路２５、機構制御回路２７を接続して構成している。ここに、読取画像処理回路２２、読取用コーデック２３はスキャナ機構を構成する。また、プリント用コーデック２４、プリント画像処理回路２５はプリント機構を構成する。
【００２３】
機構制御回路２７は、ＭＰＵ１２及びシステムコントローラ１０の制御を受け、スキャナ機構とプリント機構の制御をする。
【００２４】
また、この電子機器１では、通信コネクタ１６に接続された通信ネットワークケーブルＣに含まれる給電線Ｃ２を通じて供給される４８Ｖ電源を受け、これを降圧することで省電力モード制御回路部Ａへの電源Ｖｂに変換出力するＤＣ／ＤＣコンバータ１（２８）と、更に、システムコントローラ１０，画像メモリ１１、ＭＰＵ１２、フラッシュメモリ１７、ＳＲＡＭ１８といった、比較的小電源で動作する要素への電圧Ｖ１と、ＮＣＵ１３、モデム１４、ＬＡＮインタフェース１５といった、それよりも大きな電源で動作する要素への電圧Ｖ２とに降圧するＤＣ／ＤＣコンバータ２（２０）とを備える。
【００２５】
これらのＤＣ／ＤＣコンバータ１，２は、本発明のサブ電源回路部を構成する。
【００２６】
一方、商用電源を、通常モード制御回路部Ｂの要素が作動するのに必要な電源Ｖａに変換出力する主内部電源回路部２９を備える。主内部電源回路部２９からは、通常モード制御回路部Ｂの他、ＤＣ／ＤＣコンバータ２（２０）にも電源Ｖｂが出力される。なお、ＳＷ１は省電力モード、通常モード切換時にシステムコントローラ１０により駆動される切換スイッチを示し、ＳＷはユーザにより操作される電源スイッチを示している。
【００２７】
ここで、電源Ｖ１，Ｖ２は、電源Ｖａ，Ｖｂよりも小さな電圧値である。
【００２８】
このような構成において、通常モードにおいては、省電力モード制御回路部Ａ、通常モード制御回路部Ｂともに、主内部電源回路部２９による電源を受けて作動している。ここで、省電力モード制御回路部Ａの各要素は、通常モード制御回路部Ｂの要素よりも小電圧で作動することができるため、一旦、ＤＣ／ＤＣコンバータ２（２０）によって降圧された電源を供給する。
【００２９】
なお、サブ電源回路部（２０，２８）による電源供給を省電力制御回路部Ａに対して行っていてもよいが、それぞれのコンバータに切換スイッチＳＷ２を設けて、通常モードにおいては切換スイッチを開いて電源供給を遮断するようにしてもよい。
【００３０】
一方、省電力モードにおいては、主内部電源回路部２８による電源供給を切換スイッチＳＷ１を開くことにより遮断して通常モード制御回路部Ｂへの電源供給を遮断する。このとき、サブ電源回路部（２０，２８）による電源供給のみが、省電力モード制御回路部Ａに対して行われる状態となる。
【００３１】
なお、通常モードでサブ電源回路部（２０，２８）による電源供給を遮断している場合には、切換スイッチＳＷ２を閉じて、サブ電源回路部による電源供給を開始するようにする。
【００３２】
省電力モードにおいて一定の通常モードへの切換イベントが発生したときには、これをシステムコントローラ１０が受け、切換スイッチＳＷ１を閉じて、遮断していた主内部電源回路部２８による電源供給を再開させる。
【００３３】
次に、基本動作を図３のフローチャート（１００〜１０９）とともに説明する。
【００３４】
つまり、所定のジョブが終了した時点で、タイマを駆動させて所定時間の計測を開始する。所定時間が経過する前でも、節電スイッチ１９Ａが操作されたときには、主電源を遮断し、サブ電源による供給を行う。
【００３５】
また、所定のジョブが終了してから、次のジョブ要求がなく、所定時間が経過した場合には、同様に主電源を遮断し、サブ電源による供給を行う。
【００３６】
ここで、通常モードへの切換イベントとしては、新たなジョブ要求の他、操作パネル１９の節電スイッチ１９Ａ以外の操作、電話回線Ｌを通じた着信、通信ネットワークを介したクライアント４からのパケット受信、原稿台への原稿載置の検出などが含まれ、システムコントローラ１０は、省電力モードにおいて、このような切換イベントを判別する。
【００３７】
省電力モードにおいて、節電スイッチ１９Ａがオフ状態となったときには、主電源による供給を開始し、サブ電源を遮断する。
【００３８】
また、省電力モードにおいて、新たなジョブ要求があったときにも、同様に、主電源による供給を開始し、サブ電源を遮断する。
【００３９】
節電スイッチ１９Ａがオン状態のままであって、新たなジョブ要求が何らない場合には、省電力モードのまま待機する。
【図面の簡単な説明】
【００４０】
【図１】本発明の電子機器の要部構成の一例を示すブロック図
【図２】本発明の電子機器の使用形態の一例を示す図
【図３】本発明の電子機器の基本動作の一例を示すフローチャート
【符号の説明】
【００４１】
１  電子機器
Ａ  省電力モード制御回路部
Ｂ  通常モード制御回路部
１６  通信コネクタ
２０，２８  ＤＣ／ＤＣコンバータ
２９  主内部電源回路部
Ｃ  通信ネットワークケーブル
Ｃ１  信号線
Ｃ２  給電線
【図１】
2007027866.tif 000003
【図２】
2007027866.tif 000004
【図３】
2007027866.tif 000005